(57)【特許請求の範囲】
【請求項１】
着脱する原稿台に載置又は搬送する原稿の原稿画像を読み取る画像読取装置において、原稿の画像面を走査して読み取る原稿画像読取手段と、上記原稿画像読取手段が原稿の画像面を走査して読み取る開口部と、上記開口部を覆って原稿を載置又は搬送する透明体からなる原稿台と、上記原稿台を着脱可能に支持する原稿台支持部材と、上記原稿台支持部材から上記原稿台を離脱する時に上記原稿台の端面側から紙粉等の落ち零れを防止する落ち零れ防止手段と、上記落ち零れ防止手段を上記原稿台の離脱時にも接合する接合手段と、上記原稿台の端面と隣接して、載置又は搬送される原稿を案内する原稿案内部材と、を備え、上記落ち零れ防止手段は、上記接合手段によって上記原稿台の端面又は上記原稿案内部材の側面に一体的に接合されることを特徴とする画像読取装置。
【請求項２】
請求項１に記載の画像読取装置において、原稿台支持部材は、上記原稿案内部材の底面側の凹嵌合部と嵌合する凸嵌合部を備えることを特徴とする画像読取装置。
【請求項３】
請求項１又は２に記載の画像読取装置において、原稿案内部材は、搬送される原稿を掬い上げる傾斜面を備えることを特徴とする画像読取装置。
【請求項４】
請求項１、２又は３に記載の画像読取装置において、落ち零れ防止手段は、鈍角の曲げ部を有する鈍角曲げ部材からなることを特徴とする画像読取装置。
【請求項５】
請求項４に記載の画像読取装置において、鈍角曲げ部材の先端は、原稿台の端面の上方に密着して接触することを特徴とする画像読取装置。
【請求項６】
請求項１、２又は３に記載の画像読取装置において、落ち零れ防止手段は、鋭角の曲げ部を有する鋭角曲げ部材からなることを特徴とする画像読取装置。
【請求項７】
請求項６に記載の画像読取装置において、鋭角曲げ部材の先端は、原稿案内部材の底部に密着して接触することを特徴とする画像読取装置。
【請求項８】
請求項１、２又は３に記載の画像読取装置において、落ち零れ防止手段は、Ｕ字の形状、又は、Ｖ字の形状の窪み形状を有する窪み部材を備え、上記窪み部材の先端は、接合手段によって、原稿台の端面に一体的に接合されることを特徴とする画像読取装置。
【請求項９】
請求項１乃至８の何れか一項に記載の画像読取装置において、落ち零れ防止手段は、薄板形状の金属板材からなることを特徴とする画像読取装置。
【請求項１０】
請求項１乃至８の何れか一項に記載の画像読取装置において、落ち零れ防止手段は、樹脂シート材からなることを特徴とする画像読取装置。
【請求項１１】
請求項１乃至１０の何れか一項に記載の画像読取装置において、接合手段は、両面接着テープからなることを特徴とする画像読取装置。
【請求項１２】
請求項１乃至１０の何れか一項に記載の画像読取装置において、接合手段は、接着剤からなることを特徴とする画像読取装置。
【請求項１３】
着脱する原稿台に載置又は搬送する原稿の原稿画像を読み取って電子写真プロセスでトナー画像を形成する画像形成装置において、装置本体の最上部に配置されて載置又は搬送する原稿の原稿画像を読み取る上記請求項１乃至１２の何れか一項に記載の画像読取装置と、上記画像読取装置の下方に回動可能に保持されて形成画像を担持する像担持体と、上記像担持体に上記画像読取装置の読み取り画像の光書き込みを行なって潜像を形成する潜像形成手段と、上記潜像形成手段で形成された潜像を現像してトナー画像を形成する現像手段と、上記現像手段で形成されたトナー画像を被転写体に転写する転写手段と、からなることを特徴とする画像形成装置。
【発明の詳細な説明】
【０００１】
【発明の属する技術分野】
本発明は、画像読取装置、及び、その画像読取装置を具備する画像形成装置に関し、詳しくは、着脱する原稿台に載置又は搬送する原稿の原稿画像を読み取る画像読取装置、及び、その画像読取装置を具備して着脱する原稿台に載置又は搬送する原稿の原稿画像を読み取って電子写真プロセスでトナー画像を形成する電子写真方式の複写機、ファクシミリ装置あるいはこれらの複合機等の画像形成装置に関する。
【０００２】
【従来の技術】
従来の画像読取装置、及び、その画像読取装置を具備する画像形成装置の電子写真方式の複写機、ファクシミリ装置あるいはこれらの複合機等は、例えば、アナログ方式の電子写真複写機等の装置においては、原稿台であるコンタクトガラスに載置された原稿の画像面を走査した読取り光をドラム形状の感光体ドラム上に照射して静電潜像を作成して、その静電潜像にトナーを付着させてトナー画像を形成する。
他方、デジタル方式の電子写真複写機やファクシミリ装置等の装置は、原稿台であるコンタクトガラスに載置された原稿の画像面を走査した光をＣＣＤ等の光電変換素子に入力して読取り、電気信号として出力する。
このようなデジタル方式の画像読取装置は、原稿を原稿台であるコンタクトガラスに載置して、その原稿の画像面を走査して原稿画像を読み取る原稿画像読取手段を、原稿台であるコンタクトガラスの下面に沿わして移動させるようになっている。
更に、ファクシミリ装置のように、固定位置に配置した原稿画像を読み取る原稿画像読取手段に対して、原稿を原稿台であるコンタクトガラス上を移動させながら搬送して走査する場合もある。
ところが、このようなコンタクトガラスの端面と、コンタクトガラス上に載置又は移動する原稿を案内する原稿案内部材等との隙間から、原稿等から発生する紙粉やゴミ等が落下して、原稿画像読取手段のミラー等や、画像形成装置の感光体等に付着し、その汚れが、読み取り画像や形成画像の品質を低下させていた。そこで、コンタクトガラスと原稿案内部材との間に若干の隙間があっても、その隙間をシール部材により塞ぐことで、原稿等から発生する紙粉やゴミ等が原稿画像を読み取る原稿画像読取手段のミラー等や画像形成装置の感光体等に落下することを防止すると言うことは公知である（特許第３０１６３０６号の公報を参照）。
然し、コンタクトガラスと原稿案内部材との隙間をシール部材により塞ぐことが出来ても、コンタクトガラスの清掃や装置内部の部品の清掃や交換などのメンテナンス時等に、コンタクトガラス等の着脱時に、コンタクトガラス等を離脱して外した瞬間に、溜まった紙紛やゴミ等が装置内に落ち零れて、原稿画像を読み取る原稿画像読取手段のミラー等や、画像読取装置を具備する画像形成装置の感光体等に付着して、その汚れが、読み取り画像や形成画像の品質を低下させていた。
【０００３】
原稿読取り装置が、原稿を移動させて読み取るシートスルータイプのＡＤＦを備え、走査装置をプラテンの一方の端部に固定し、原稿排出のためのすくい上げ部材を挟んで２分した原稿台であるコンタクトガラスを用い、ＡＤＦモードで原稿を読み取るときに発生する原稿からの紙粉を、原稿排出のためのすくい上げ部材に取り付けたゴミ箱に収納して装置本体内部に侵入しないようにすることも公知である（特開平９−１７１２７４号の公報を参照）。
然し、すくい上げ部材に取り付けたゴミ箱の寸法は、すくい上げ部材に設けたゴミ箱を落とし込む部分の寸法よりもやや大きくしてあるので、この状態ではめこむと、コの字形状のゴミ箱は閉じる方向に撓み、密着性が不十分となり、ＡＤＦモードで原稿を読み取る時に、発生する原稿からの紙粉やゴミ箱に収納して装置本体内部への侵入を完全に防止することは出来なかった。
更に、原稿台であるコンタクトガラスの清掃や装置内部の部品の清掃や交換などのメンテナンス時等に、原稿台であるコンタクトガラス等の着脱時に、原稿台であるコンタクトガラス等を離脱して外した瞬間に、ゴミ箱やゴミ箱に収納して溜まった紙紛等が装置内に落ち零れて、原稿画像を読み取る原稿画像読取手段のミラー等や、画像読取装置を具備する画像形成装置の感光体等に付着し、その汚れが、読み取り画像や形成画像の品質を低下させていた。
自動原稿送り装置によって搬送される原稿に対向状態で配置されるとともに、原稿搬送方向の上流側を高位に配置した傾斜面を有する原稿台と、この原稿台上を搬送される原稿の画像を読み取る光学走査系を備えて、読取り手段による画像読取り位置にゴミが停留することをなくして、読取り画像に黒線や白抜け等の欠陥が生じると言うことを防止することも公知である（特開２００１−２７４９５０の公報を参照）。
然し、光学走査系による画像読取り位置にゴミが停留することをなくしても、原稿台の清掃や装置内部の部品の清掃や交換などのメンテナンス時等に、原稿台等の着脱時に、原稿台等を離脱して外した瞬間に、原稿台の端面や原稿台に隣接するクッション部材等に溜まった紙紛等が装置内に落ち零れて、原稿画像を読み取る原稿画像読取手段のミラー等や、画像読取装置を具備する画像形成装置の感光体等に付着し、その汚れが、読み取り画像や形成画像の品質を低下させていた。
【０００４】
図１１と図１２において、従来の画像読取装置１００における圧板の開閉式のシートスルーＡＤＦ１００ａは、給紙部１００ａ１に搭載された原稿（Ｏ）を原稿台１０３の読取ガラスの上を図示の矢印（Ａ）方向に通過させた後、原稿案内部材１０５のガイドスケールで掬い上げて、図示の矢印（Ｂ）方向に、再び、上記シートスルーＡＤＦ１００ａに戻し、排紙部１００ａ２上に排紙するため、図示のように上記原稿台１０３の読取ガラス上面より低い位置から始まり高い位置まで原稿（Ｏ）を導く斜面１０５ａが必要になってくる。
然し、上記斜面１０５ａの底、つまり上記原稿台１０３の読取ガラスと上記原稿案内部材１０５のガイドスケールの境目の隙間は、互いに、上記原稿台１０３の読取ガラスの端面１０３ａと上記原稿案内部材１０５のガイドスケールの側面１０５ｃが防塵スポンジ１０５ｂを介して合わさっているだけであり、原稿（Ｏ）の紙紛（ｐ）やごみ等が溜まる所でもある（図１１を参照）。
【０００５】
上記原稿台１０３の読取ガラスと上記原稿案内部材１０５のガイドスケールの境目の隙間から紙紛（ｐ）やごみ等が、通常の使用時に装置内に落ち零れて侵入したり、メンテナンスのため上記原稿台１０３の読取ガラスや上記原稿案内部材１０５のガイドスケールを外す時にも装置内部へ落ち零れて、光学素子等に付着して読み取り画像等に筋画像等の異常画像を発生させてしまっていた（図１２を参照）。
この場合は、防塵スポンジ１０５ｂの上に紙紛（ｐ）やごみ等が溜まり、通常使用時には装置内への侵入は防止することが出来ても、上記原稿台１０３の読取ガラス等の清掃や内部部品の清掃や交換などのメンテナンス時などに、上記原稿台１０３の読取ガラスを図示の矢印Ｃ、又は、矢印Ｄ方向に外した瞬間に、上記原稿台１０３の読取ガラスの端面や上記防塵スポンジ１０５ｂ等の上に溜まっていた紙紛（ｐ）やごみ等が、上記原稿台１０３の読取ガラスが覆っていた原稿台支持部材１０４に形成された開口部１０２等から装置内へ零れ落ちてしまって、原稿画像読取手段１０１のミラー等や、画像形成装置１１０の感光体等に付着し、その汚れが筋画像等の異常画像を発生させて、読み取り画像や形成画像の品質を低下させていた。
従って、従来の画像読取装置、及び、その画像読取装置を具備する画像形成装置は、通常使用時には装置内への紙紛等の落ち零れによる侵入は防止することが出来ても、原稿台の読取ガラスの清掃、装置内部の部品の清掃や交換等のメンテナンス時等に、原稿台の読取ガラス等の着脱時に、原稿台の読取ガラス等を離脱して外した瞬間に、溜まった紙紛等が装置内に落ち零れて、原稿画像読取手段のミラー等や、画像形成装置の感光体等に付着し、その汚れが筋画像等の異常画像を発生させて、読み取り画像や形成画像の品質を低下させると言う不具合が生じていた。
【０００６】
【発明が解決しようとする課題】
そこで本発明の課題は、このような問題点を解決するものである。即ち、通常使用時と原稿台の着脱時にも、原稿台の端面等に付着して溜まる紙紛等の落ち零れを簡単な構成で低コストで防止して、メンテナンスが容易で、高品質の読み取り画像やトナー画像を形成する画像読取装置、及び、その画像読取装置を具備する画像形成装置を提供することを目的とする。
【０００７】
【課題を解決するための手段】
上記目的を達成するために、請求項１の本発明は、着脱する原稿台に載置又は搬送する原稿の原稿画像を読み取る画像読取装置において、原稿の画像面を走査して読み取る原稿画像読取手段と、上記原稿画像読取手段が原稿の画像面を走査して読み取る開口部と、上記開口部を覆って原稿を載置又は搬送する透明体からなる原稿台と、上記原稿台を着脱可能に支持する原稿台支持部材と、上記原稿台支持部材から上記原稿台を離脱する時に上記原稿台の端面側から紙粉等の落ち零れを防止する落ち零れ防止手段と、上記落ち零れ防止手段を上記原稿台の離脱時にも接合する接合手段と、上記原稿台の端面と隣接して、載置又は搬送される原稿を案内する原稿案内部材と、を備え、上記落ち零れ防止手段は、上記接合手段によって上記原稿台の端面又は上記原稿案内部材の側面に一体的に接合されることを最も主要な特徴とする。請求項２の本発明は、請求項１に記載の画像読取装置において、上記原稿案内部材の底面側の凹嵌合部と嵌合する凸嵌合部を備えることを主要な特徴とする。請求項３の本発明は、請求項１又は２に記載の画像読取装置において、原稿案内部材は、搬送される原稿を掬い上げる傾斜面からなる画像読取装置であることを主要な特徴とする。請求項４の本発明は、請求項１、２又は３に記載の画像読取装置において、落ち零れ防止手段は、鈍角の曲げ部を有する鈍角曲げ部材からなる画像読取装置であることを主要な特徴とする。請求項５の本発明は、請求項４に記載の画像読取装置において、鈍角曲げ部材の先端は、原稿台の端面の上方に密着して接触する画像読取装置であることを主要な特徴とする。請求項６の本発明は、請求項１、２又は３に記載の画像読取装置において、落ち零れ防止手段は、鋭角の曲げ部を有する鋭角曲げ部材からなる画像読取装置であることを主要な特徴とする。
【０００８】
請求項７の本発明は、請求項６に記載の画像読取装置において、鋭角曲げ部材の先端は、原稿案内部材の底部に密着して接触する画像読取装置であることを主要な特徴とする。請求項８の本発明は、請求項１、２又は３に記載の画像読取装置において、落ち零れ防止手段は、Ｕ字の形状、又は、Ｖ字の形状の窪み形状を有する窪み部材を備え、上記窪み部材の先端は、接合手段によって、原稿台の端面に一体的に接合される画像読取装置であることを主要な特徴とする。請求項９の本発明は、請求項１乃至８の何れか一項に記載の画像読取装置において、落ち零れ防止手段は、薄板形状の金属板材からなる画像読取装置であることを主要な特徴とする。請求項１０の本発明は、請求項１乃至８の何れか一項に記載の画像読取装置において、落ち零れ防止手段は、樹脂シート材からなる画像読取装置であることを主要な特徴とする。請求項１１の本発明は、請求項１乃至１０の何れか一項に記載の画像読取装置において、接合手段は、両面接着テープからなる画像読取装置であることを主要な特徴とする。請求項１２の本発明は、請求項１乃至１０の何れか一項に記載の画像読取装置において、接合手段は、接着剤からなる画像読取装置であることを主要な特徴とする。請求項１３の本発明は、着脱する原稿台に載置又は搬送する原稿の原稿画像を読み取って電子写真プロセスでトナー画像を形成する画像形成装置において、装置本体の最上部に配置されて載置又は搬送する原稿の原稿画像を読み取る上記請求項１乃至１２の何れか一項に記載の画像読取装置と、上記画像読取装置の下方に回動可能に保持されて形成画像を担持する像担持体と、上記像担持体に上記画像読取装置の読み取り画像の光書き込みを行なって潜像を形成する潜像形成手段と、上記潜像形成手段で形成された潜像を現像してトナー画像を形成する現像手段と、上記現像手段で形成されたトナー画像を被転写体に転写する転写手段と、からなる画像形成装置であることを最も主要な特徴とする。
【０００９】
【作用】
上記のように構成された画像読取装置、及び、その画像読取装置を具備する画像形成装置は、請求項１においては、原稿の画像面を走査して読み取る原稿画像読取手段が、原稿の画像面を走査して読み取る開口部を覆って原稿を載置、又は、搬送する透明体からなる原稿台を着脱可能に支持する原稿台支持部材から原稿台を離脱時にも、接合手段によって、原稿台の端面（側面）から紙粉等の落ち零れを防止する落ち零れ防止手段を接合する。また、請求項１においては、原稿の画像面を走査して読み取る原稿画像読取手段が、原稿の画像面を走査して読み取る開口部を覆って原稿を載置、又は、搬送する透明体からなる原稿台を着脱可能に支持する原稿台支持部材から原稿台を離脱時にも、接合手段によって、原稿台の端面から紙粉等の落ち零れを防止する落ち零れ防止手段を原稿台の端面に一体的に接合する。さらに、請求項１においては、原稿の画像面を走査して読み取る原稿画像読取手段が、原稿の画像面を走査して読み取る開口部を覆って原稿を載置、又は、搬送する透明体からなる原稿台を着脱可能に支持する原稿台支持部材から原稿台を離脱時にも、接合手段によって、原稿台の端面から紙粉等の落ち零れを防止する落ち零れ防止手段を原稿案内部材の側面に一体的に接合する。請求項２においては、原稿の画像面を走査して読み取る原稿画像読取手段が、原稿の画像面を走査して読み取る開口部を覆って原稿を載置、又は、搬送する透明体からなる原稿台を着脱可能に支持する原稿台支持部材から原稿台を離脱時にも、接合手段によって、原稿台の端面から紙粉等の落ち零れを防止する落ち零れ防止手段を接合すると共に原稿台支持部材の凸嵌合部は原稿台の端面と隣接して載置又は搬送される原稿を案内する原稿案内部材の底面側の凹嵌合部と嵌合するようにする。請求項３においては、原稿の画像面を走査して読み取る原稿画像読取手段が、原稿の画像面を走査して読み取る開口部を覆って原稿を載置、又は、搬送する透明体からなる原稿台を着脱可能に支持する原稿台支持部材から原稿台を離脱時にも、接合手段によって、原稿台の端面から紙粉等の落ち零れを防止する落ち零れ防止手段を接合すると共に原稿案内部材は搬送される原稿を傾斜面で掬い上げるようにする。参考として、本発明においては、原稿の画像面を走査して読み取る原稿画像読取手段が、原稿の画像面を走査して読み取る開口部を覆って原稿を載置、又は、搬送する透明体からなる原稿台を着脱可能に支持する原稿台支持部材から原稿台を離脱時にも、接合手段によって、原稿台の端面から紙粉等の落ち零れを防止する落ち零れ防止手段を原稿台支持部材の上面に一体的に接合する。
【００１０】
請求項４においては、原稿の画像面を走査して読み取る原稿画像読取手段が、原稿の画像面を走査して読み取る開口部を覆って原稿を載置、又は、搬送する透明体からなる原稿台を着脱可能に支持する原稿台支持部材から原稿台を離脱時にも、接合手段によって、原稿台の端面から紙粉等の落ち零れを防止する鈍角の曲げ部を有する鈍角曲げ部材からなる落ち零れ防止手段を接合する。請求項５においては、原稿の画像面を走査して読み取る原稿画像読取手段が、原稿の画像面を走査して読み取る開口部を覆って原稿を載置、又は、搬送する透明体からなる原稿台を着脱可能に支持する原稿台支持部材から原稿台を離脱時にも、接合手段によって、原稿台の端面から紙粉等の落ち零れを防止する鈍角の曲げ部を有する鈍角曲げ部材からなる落ち零れ防止手段を接合すると共に鈍角曲げ部材の先端は原稿台の端面の上方に密着して接触するようにする。請求項６においては、原稿の画像面を走査して読み取る原稿画像読取手段が、原稿の画像面を走査して読み取る開口部を覆って原稿を載置、又は、搬送する透明体からなる原稿台を着脱可能に支持する原稿台支持部材から原稿台を離脱時にも、接合手段によって、原稿台の端面から紙粉等の落ち零れを防止する鋭角の曲げ部を有する鋭角曲げ部材からなる落ち零れ防止手段を接合する。請求項７においては、原稿の画像面を走査して読み取る原稿画像読取手段が、原稿の画像面を走査して読み取る開口部を覆って原稿を載置、又は、搬送する透明体からなる原稿台を着脱可能に支持する原稿台支持部材から原稿台を離脱時にも、接合手段によって、原稿台の端面から紙粉等の落ち零れを防止する鋭角の曲げ部を有する鋭角曲げ部材からなる落ち零れ防止手段を接合すると共に鋭角曲げ部材の先端は原稿案内部材の底部に密着して接触するようにする。
【００１１】
請求項８においては、原稿の画像面を走査して読み取る原稿画像読取手段が、原稿の画像面を走査して読み取る開口部を覆って原稿を載置、又は、搬送する透明体からなる原稿台を着脱可能に支持する原稿台支持部材から原稿台を離脱時にも、接合手段によって、原稿台の端面から紙粉等の落ち零れを防止するＵ字の形状又はＶ字の形状の窪み形状を有する窪み部材からなる落ち零れ防止手段を接合する。また、請求項８においては、原稿の画像面を走査して読み取る原稿画像読取手段が、原稿の画像面を走査して読み取る開口部を覆って原稿を載置、又は、搬送する透明体からなる原稿台を着脱可能に支持する原稿台支持部材から原稿台を離脱時にも、接合手段によって、原稿台の端面から紙粉等の落ち零れを防止するＵ字の形状又はＶ字の形状の窪み形状を有する窪み部材からなる落ち零れ防止手段を接合すると共に窪み部材の先端は接合手段によって原稿台の端面に一体的に接合するようにする。請求項９においては、原稿の画像面を走査して読み取る原稿画像読取手段が、原稿の画像面を走査して読み取る開口部を覆って原稿を載置、又は、搬送する透明体からなる原稿台を着脱可能に支持する原稿台支持部材から原稿台を離脱時にも、接合手段によって、原稿台の端面から紙粉等の落ち零れを防止する薄板形状の金属板材からなる落ち零れ防止手段を接合するようにする。
【００１２】
請求項１０においては、原稿の画像面を走査して読み取る原稿画像読取手段が、原稿の画像面を走査して読み取る開口部を覆って原稿を載置、又は、搬送する透明体からなる原稿台を着脱可能に支持する原稿台支持部材から原稿台を離脱時にも、接合手段によって、原稿台の端面から紙粉等の落ち零れを防止する樹脂シート材からなる落ち零れ防止手段を接合するようにする。請求項１１においては、原稿の画像面を走査して読み取る原稿画像読取手段が、原稿の画像面を走査して読み取る開口部を覆って原稿を載置、又は、搬送する透明体からなる原稿台を着脱可能に支持する原稿台支持部材から原稿台を離脱時にも、接合手段の両面接着テープによって、原稿台の端面から紙粉等の落ち零れを防止する落ち零れ防止手段を接合するようにする。請求項１２においては、原稿の画像面を走査して読み取る原稿画像読取手段が、原稿の画像面を走査して読み取る開口部を覆って原稿を載置、又は、搬送する透明体からなる原稿台を着脱可能に支持する原稿台支持部材から原稿台を離脱時にも、接合手段の接着剤によって、原稿台の端面から紙粉等の落ち零れを防止する落ち零れ防止手段を接合するようにする。請求項１３においては、装置本体の最上部に配置されて載置又は搬送する原稿の原稿画像を読み取る上記請求項１乃至１２の何れか一項に記載の画像読取装置の下方に回動可能に保持されて形成画像を担持する像担持体に、潜像形成手段によって画像読取装置の読み取り画像の光書き込みを行なって潜像を形成して、潜像形成手段で形成された潜像を現像手段でトナー画像を形成して、そのトナー画像を転写手段で被転写体に転写するようにする。
【００１３】
【発明の実施の形態】
次に、本発明の実施の形態を図面を参照して詳細に説明する。
図１は本発明の一実施形態に係る画像読取装置の概略構成を示す正面図、図２はその要部（読取位置）の拡大図、図３はそれを分解した状態を示す図である。着脱する原稿台に載置又は搬送する原稿の原稿画像を読み取る画像読取装置０は、原稿（Ｏ）の画像面を走査して読み取る原稿画像読取手段１と、上記原稿画像読取手段１が原稿（Ｏ）の画像面を走査して読み取る開口部２と、上記開口部２を覆って原稿（Ｏ）を載置又は搬送する透明体からなる原稿台３と、上記原稿台３を着脱可能に支持する原稿台支持部材４と、上記原稿台支持部材４から上記原稿台３を離脱する時に上記原稿台３の端面３ａ側から紙粉（ｐ）等の落ち零れを防止する落ち零れ防止手段５の鈍角曲げ部材５ａと、鈍角曲げ部材５ａを原稿台３の離脱時にも接合する接合手段６の両面接着テープ６ａ、又は、接着剤６ｂとからなり、通常使用時と原稿台３の着脱時にも、原稿台３の端面３ａ等に付着して溜まる紙紛（ｐ）等の落ち零れを簡単な構成で低コストで防止して、メンテナンスが容易で、高品質の読み取り画像を出力して形成する。
原稿画像読取手段１は、原稿画像読取手段１が図示の矢印（Ｅ）方向に移動してブック読取り側の原稿台３上に原稿（Ｏ）を載置固定して読み取るモードと、原稿画像読取手段１を図示のシートスルーＡＤＦ０ａの読取り側の原稿台３側に固定して原稿画像読取手段１の給紙部０ａ１に搭載した原稿（Ｏ）を移動させて読み取る自動原稿送りのＡＤＦモードの２方式を有している。
原稿画像読取手段１は、原稿台３上の原稿（Ｏ）の画像面を、原稿台支持部材４に形成された開口部２から照射ランプ１ａで照射して光学素子のミラー１ｂや結像レンズ１ｃ等を介して走査することによって、ＣＣＤ等の光電変換素子１ｄに入力して読取り画像を読み取り、これを電気信号として出力する。
【００１４】
シートスルーＡＤＦ０ａは、給紙部０ａ１に搭載した原稿（Ｏ）を原稿台３の上を図示の矢印（Ｆ）方向に通過させて搬送した後、原稿台３の載置又は搬送する原稿（Ｏ）を案内する原稿案内部材７のガイドスケールの傾斜面７ｂで掬い上げて、図示の矢印（Ｇ）方向に、再び、シートスルーＡＤＦ０ａ側に戻し、排紙部０ａ２上に排紙する。
上記傾斜面７ｂは、図示のように原稿台３より低い位置から始まり高い位置まで原稿（Ｏ）を導くようになっていて、ＡＤＦモードの場合は、特に、原稿（Ｏ）が原稿案内部材７の傾斜面７ｂにこすれて紙粉（ｐ）が発生することがある。然し、原稿台支持部材４に貼り付けるように接合手段６の両面接着テープ６ａ、又は、接着剤６ｂで一体的に接合されている落ち零れ防止手段５の簡単な加工の鈍角にまげた鈍角曲げ部材５ａの先端５ａ１は、原稿台３を図示するように装着してセットした時に撓んで圧力をもって端面３ａの上方に密着して接触するようになているから、紙粉（ｐ）が原稿案内部材７の傾斜面７ｂを下り低部７ｄに確実に溜まるようになっている（図２を参照）。
メンテンナンス時等で、シートスルーＡＤＦ０ａの読取り側の原稿台３を図示の矢印（Ｈ）方向に離脱して取り外しても、紙粉（ｐ）等は上記落ち零れ防止手段５の上記鈍角曲げ部材５ａの鈍角に曲げられた部分の上に溜まるため、装置の内部に落ち零れることは防止することが出来て、原稿画像読取手段１の上記ミラー１ｂ等や画像形成装置１０の感光体等に付着し、その汚れが筋画像等の異常画像を発生させて読み取り画像や形成画像の品質を低下させることはない（図３を参照）。
同様に、ブック読取り側の原稿台３を図示の矢印（Ｉ）方向に離脱して取り外しても、上記原稿台支持部材４の凸形状断面の凸断嵌合部４ａと原稿台３の端面３ａと隣接して載置又は搬送される原稿（Ｏ）を案内する上記原稿案内部材７の底面側の凹形状断面の凹嵌合部７ａと嵌合する形状になっているから、紙粉（ｐ）等は鈍角曲げ部材５ａの鈍角に曲げられた部分の上に溜まるため、更に、ブック読取り側の原稿台３からも装置の内部に落ち零れることは確実に防止することが出来て、原稿画像読取手段１の上記ミラー１ｂ等や上記形成装置１０の感光体等に付着し、その汚れが筋画像等の異常画像を発生させて読み取り画像や形成画像の品質を低下させることはない（図３を参照）。
鈍角曲げ部材５ａは、原稿台支持部材４の平ら部分に、両面接着テープ６ａ、又は、接着剤６ｂによって、貼り付けるように一体的に接合されるから、紙粉（ｐ）等の落ち零れを防止すると共に、貼り付けの接合作業が最も容易な簡単な構成で低コストである。
両面接着テープ６ａを使用すれば、更に、低コストで、位置合わせが容易に貼り付けの接合作業をすることが出来る。
接着剤６ｂを使用すれば、更に、低コストで、確実に貼り付けて接合することが出来る。
鈍角曲げ部材５ａは、樹脂シート材で形成すれば更に低コストになり、薄板形状の金属板材で形成すれば小型で耐久性に優れたものになる。
従って、通常使用時と原稿台３の着脱時にも、原稿台３の端面３ａ等に付着して溜まる紙紛（ｐ）等の落ち零れを、小型で耐久性にも優れた簡単な構成と低コストで防止して、メンテナンスの作業が容易で、高品質の読み取り画像を出力して形成する上記画像読取装置０を提供することが出来るようになった。
【００１５】
図４と図５は本発明の他の実施形態であり、傾斜面７ｂは、図示のように原稿台３の上面よりも低い位置から始まり高い位置まで原稿（Ｏ）を導くようになっていて、ＡＤＦモードの場合は、特に、原稿（Ｏ）が原稿案内部材７の傾斜面７ｂにこすれて紙粉（ｐ）が発生することがある。
然し、原稿台３の端面３ａに貼り付けるように両面接着テープ６ａ、又は、接着剤６ｂで一体的に接合されている落ち零れ防止手段５の鋭角にまげた鋭角曲げ部材５ｂの先端５ｂ１は、原稿台３を図示するように装着してセットした時に撓んで圧力をもって原稿案内部材７の底部７ｄに潜り込んで密着して接触するようになているから、紙粉（ｐ）が傾斜面７ｂを下り低部７ｄに溜まるようになっている（図４を参照）。
メンテンナンス時等で、シートスルーＡＤＦ０ａの読取り側の原稿台３を図示の矢印（Ｊ）方向に離脱して取り外しても、紙粉（ｐ）等は鋭角曲げ部材５ｂの鋭角に曲げられた部分の上に溜まるため、装置の内部に落ち零れることは確実に防止することが出来て、原稿画像読取手段１の上記ミラー１ｂ等や画像形成装置１０の感光体等に付着し、その汚れが筋画像等の異常画像を発生させて読み取り画像や形成画像の品質を低下させることはない（図５を参照）。
同様に、ブック読取り側の原稿台３を図示の矢印（Ｋ）方向に離脱して取り外しても、上記原稿台支持部材４の凸形状断面の凸断嵌合部４ａと原稿台３の端面３ａと隣接して載置又は搬送される原稿（Ｏ）を案内する原稿案内部材７の底面側の凹形状断面の凹嵌合部７ａと嵌合する形状になっているから、紙粉（ｐ）等は鋭角曲げ部材５ｂの鋭角に曲げられた部分の上に溜まるため、更に、ブック読取り側の原稿台３からも装置の内部に落ち零れることは確実に防止することが出来て、原稿画像読取手段１のミラー１ｂ等や画像形成装置１０の感光体等に付着し、その汚れが筋画像等の異常画像を発生させて読み取り画像や形成画像の品質を低下させることはない（図５を参照）。
【００１６】
鋭角曲げ部材５ｂは、原稿台３の端面３ａに、両面接着テープ６ａ、又は、接着剤６ｂによって、貼り付けるように一体的に接合されるから、紙粉（ｐ）等の落ち零れを防止すると共に、メンテナンス時等に、原稿台３の着脱する離脱時に紙粉（ｐ）等ごと取り外すことが出来るから、溜まった紙粉（ｐ）等の清掃除去作業が容易な簡単な構成で低コストで、メンテナンス性に優れている。
鋭角曲げ部材５ｂの接合に、両面接着テープ６ａを使用すれば、更に、低コストで、位置合わせが容易に貼り付けの接合作業をすることが出来る。
上記接着剤６ｂを使用すれば、更に、低コストで、確実に貼り付けて接合することが出来る。
鋭角曲げ部材５ｂは、樹脂シート材で形成すれば更に低コストになり、薄板形状の金属板材で形成すれば小型で耐久性に優れたものになる。
従って、通常使用時と原稿台３の着脱時にも、原稿台３の端面３ａ等に付着して溜まる紙紛（ｐ）等の落ち零れを、小型で耐久性にも優れた、鋭角の曲げ加工の簡単な構成と低コストで確実に防止して、更にメンテナンスの作業が容易で、高品質の読み取り画像を出力して形成する上記画像読取装置０を提供することが出来るようになった。
【００１７】
図６及び図７は本発明の他の実施形態に係る防塵構造を示す構成図及び分解図であり、傾斜面７ｂは、図示のように原稿台３上面よりも低い位置から始まり高い位置まで原稿（Ｏ）を導くようになっていて、ＡＤＦモードの場合は、特に、原稿（Ｏ）が原稿案内部材７の傾斜面７ｂにこすれて紙粉（ｐ）が発生することがある。
然し、原稿案内部材７の側面７ｃに貼り付けるように両面接着テープ６ａ、又は、上記接着剤６ｂで一体的に接合されている上記落ち零れ防止手段５のＵ字の形状、又は、Ｖ字の形状の窪み形状を有する窪み部材５ｃの先端５ｃ１は、原稿台３を図示するように装着してセットした時に撓んで圧力をもって原稿台３の端面３ａに密着して接触するようになているから、紙粉（ｐ）が原稿案内部材７の上記傾斜面７ｂを下り上記窪み部材５ｃに溜まるようになっている（図６を参照）。
メンテンナンス時等で、ブック読取り側の原稿台３を、図示の矢印（Ｌ）方向に離脱して取り外しても、紙粉（ｐ）等は窪み部材５ｃのＵ字の形状、又は、Ｖ字の形状の窪み形状の部分の上に溜まるため、装置の内部に落ち零れることは防止することが出来て、原稿画像読取手段１のミラー１ｂ等や形成装置１０の感光体等に付着し、その汚れが筋画像等の異常画像を発生させて読み取り画像や形成画像の品質を低下させることはない（図７を参照）。
窪み部材５ｃは、原稿案内部材７の側面７ｃに、両面接着テープ６ａ、又は、接着剤６ｂによって、貼り付けるように一体的に接合されるから、紙粉（ｐ）等の落ち零れを防止すると共に、メンテナンス時等に、原稿台３の着脱する離脱時に紙粉（ｐ）等ごとに取り外すことが出来るから、溜まった紙粉（ｐ）等の清掃除去作業が容易な簡単な構成で低コストで、更にメンテナンス性に優れている。窪み部材５ｃの接合に、両面接着テープ６ａを使用すれば、更に、低コストで、位置合わせが容易に貼り付けの接合作業をすることが出来る。
接着剤６ｂを使用すれば、更に、低コストで、確実に貼り付けて接合することが出来る。
窪み部材５ｃは、樹脂シート材で形成すれば更に低コストになり、薄板形状の金属板材で形成すれば小型で耐久性に優れたものになる。
従って、通常使用時と原稿台３の着脱時にも、原稿台３の端面３ａ等に付着して溜まる紙紛（ｐ）等の落ち零れを、小型で耐久性にも優れた窪み加工の簡単な構成と低コストで防止して、更にメンテナンスの作業が容易で、高品質の読み取り画像を出力して形成する上記画像読取装置０を提供することが出来るようになった。
【００１８】
図８及び図９は本発明の他の実施形態に係る防塵構造を示す構成図、及びその分解図であり、同図において、上記傾斜面７ｂは、図示のように原稿台３より低い位置から始まり高い位置まで原稿（Ｏ）を導くようになっていて、ＡＤＦモードの場合は、特に、原稿（Ｏ）が原稿案内部材７の上記傾斜面７ｂにこすれて紙粉（ｐ）が発生することがある。
然し、原稿台３の端面３ａと原稿案内部材７の上記側面７ｃの両面に貼り付けるように両面接着テープ６ａ、又は、接着剤６ｂで一体的に接合されている落ち零れ防止手段５のＵ字の形状、又は、Ｖ字の形状の窪み形状を有する上記窪み部材５ｃは、原稿台３の端面３ａと原稿案内部材７の上記側面７ｃの間に密着して固定されているから、紙粉（ｐ）が原稿案内部材７の上記傾斜面７ｂを下り上記窪み部材５ｃに溜まるようになっている（図８を参照）。
メンテンナンス時等で、上記シートスルーＡＤＦ０ａの読取り側とブック読取り側の両方の原稿台３を同時に、図示の矢印（Ｍ）方向に離脱して取り外しても、紙粉（ｐ）等は窪み部材５ｃのＵ字の形状、又は、Ｖ字の形状の窪み形状の部分の上に溜まるため、装置の内部に落ち零れることは防止することが出来て、原稿画像読取手段１の上記ミラー１ｂ等や上記形成装置１０の感光体等に付着し、その汚れが筋画像等の異常画像を発生させて読み取り画像や形成画像の品質を低下させることはない（図９を参照）。
窪み部材５ｃは、原稿台３の端面３ａと原稿案内部材７の上記側面７ｃの両面に、両面接着テープ６ａ、又は、接着剤６ｂによって、貼り付けるように一体的に接合されるから、紙粉（ｐ）等の落ち零れを防止すると共に、メンテナンス時等に、原稿台３の着脱する離脱時に紙粉（ｐ）等ごと確実に取り外すことが出来るから、溜まった紙粉（ｐ）等の清掃除去作業が容易な簡単な構成で低コストで、更にメンテナンス性に優れている。
窪み部材５ｃの接合に、両面接着テープ６ａを使用すれば、更に、低コストで、位置合わせが容易に貼り付けの接合作業をすることが出来る。
接着剤６ｂを使用すれば、更に、低コストで、確実に貼り付けて接合することが出来る。
窪み部材５ｃは、樹脂シート材で形成すれば更に低コストになり、薄板形状の金属板材で形成すれば小型で耐久性に優れたものになる。
従って、通常使用時と原稿台３の着脱時にも、原稿台３の端面３ａ等に付着して溜まる紙紛（ｐ）等の落ち零れを、小型で耐久性にも優れた窪み加工の簡単な構成と低コストで防止して、更にメンテナンスの作業が容易で優れ、高品質の読み取り画像を出力して形成する上記画像読取装置０を提供することが出来るようになった。
【００１９】
図１０において、着脱する原稿台に載置又は搬送する原稿の原稿画像を読み取って電子写真プロセスでトナー画像を形成する画像形成装置１０は、装置本体１０ａの最上部に配置されて載置又は搬送する原稿（Ｏ）の原稿画像を読み取る上記請求項１乃至１７の何れか一項に記載の上記画像読取装置０の下方に回動可能に保持されて形成画像を担持する像担持体１１に上記画像読取装置０の読取り画像の光書き込みを潜像形成手段１２で行なって潜像を形成し、上記潜像形成手段１２で形成された潜像を現像してトナー画像を形成する現像手段１３で形成されたトナー画像を転写手段１４で被転写体Ｐに転写して、通常使用時と原稿台３の着脱時にも、原稿台３の端面３ａ等に付着して溜まる紙紛（ｐ）等の落ち零れを簡単な構成で低コストで防止して、メンテナンスが容易で、高品質の読み取り画像で高品質のトナー画像を形成する。
上記画像形成装置１０は、原稿読み取り、その原稿画像に基づいて電子写真方式による画像形成を行う複写機能とプリンタの機能を有しているが、更に、ファクシミリ装置としての機能を追加することも出来る。
上記装置本体０ａの上部に固設された上記画像読取装置０の原稿画像読取手段１は、原稿画像読取手段１が図示の矢印（Ｅ）方向に移動してブック読取り側の原稿台３上に原稿（Ｏ）を載置固定して読み取るモードと、原稿画像読取手段１を図示の上記シートスルーＡＤＦ０ａの読取り側の原稿台３側に固定して原稿画像読取手段１の上記給紙部０ａ１に搭載した原稿（Ｏ）を移動させて読み取る自動原稿送りのＡＤＦモードの２方式を有している。
原稿画像読取手段１は、原稿台３上の原稿（Ｏ）の画像面を、上記原稿台支持部材４に形成された上記開口部２から照射ランプ１ａで照射して光学素子のミラー１ｂ等を介して走査することによって、ＣＣＤ等の上記光電変換素子１ｄに入力して読取り画像を読み取り、これを電気信号として出力する。
【００２０】
上記潜像形成手段１２は、図示していないレーザ光源から出射するレーザ光を反射する回転多面鏡１２ａ、ｆθレンズ等からなる走査結像用のレンズ系１２ｂを通ったレーザ光を反射するミラー１２ｃ、ミラー１２ｄ、ミラー１２ｅを有し、そのレーザ光（Ｌ）が上記潜像担持体１１であるドラム形状の感光体上に結像されようになっている。
レーザ光（Ｌ）は、原稿画像読取手段１の光電変換素子１ｄで読み取られた画像信号に対応して、光変調されており、かかるレーザ光（Ｌ）を照射された上記潜像担持体１１であるドラム形状の感光体の表面には、原稿（Ｏ）の原稿画像に対応する静電潜像が形成される。
上述した静電潜像は、上記現像手段１３を通過するとき、トナー画像として可視像化される。
一方、給紙ユニット１５の複数の給紙カセット１５ａ、給紙カセット１５ｂ、給紙カセット１５ｃのいずれかのカセットから被転写体（Ｐ）の転写用紙が図示の矢印（Ｑ）方向に給送され、その被転写体（Ｐ）の転写用紙がレジストローラ対１６によって、上記潜像担持体１１であるドラム形状の感光体のトナー画像に整合するタイミングで、上記潜像担持体１１であるドラム形状の感光体と上記転写手段１４の転写ベルト１４ｂとの間の転写位置（Ｓ）の転写ニップ部（Ｎ）に給送される。
電気的に中抵抗である材料より形成された無端状の上記転写ベルト１４ｂは、駆動ローラ１４ｃと従動ローラ１４ｄとに巻き掛けられて図示の矢印（Ｒ）方向に駆動され、転写位置（Ｓ）において上記潜像担持体１１であるドラム形状の感光体の表面に当接して転写ニップ部（Ｎ）を形成している。
【００２１】
上記レジストローラ対１６によって送り出された被転写体（Ｐ）の転写用紙は、上記転写ベルト１４ｂに担持されて搬送されつつ、上記転写ベルト１４ｂと上記潜像担持体１１であるドラム形状の感光体の間の転写位置（Ｓ）の転写ニップ部（Ｎ）を通過する。
この時、上記転写ベルト１４ｂの裏面側に配置された上記転写手段１４の転写バイアスローラ１４ａには、上記潜像担持体１１であるドラム形状の感光体上のトナーの帯電特性と逆特性の電圧が印可され、上記潜像担持体１１であるドラム形状の感光体上のトナー画像が被転写体（Ｐ）の転写用紙の表面に静電転写される。
トナー画像を転写された被転写体（Ｐ）の転写用紙は、引き続き上記転写ベルト１４ｂに担持されて搬送され、上記転写ベルト１４ｂを離れた後に、ガイド部材を通過して、定着器１７を通り、このとき熱と圧力の作用でトナー画像が被転写体（Ｐ）の転写用紙上に定着される。
次いで、この被転写体（Ｐ）の転写用紙は、排紙ローラ対１８によってコピー紙として排紙トレイ１９に排出されて収納される。
トナー画像を転写した後の潜像担持体１１であるドラム形状の感光体表面には被転写体（Ｐ）の転写用紙に転写されなかった転写残トナーが付着しており、かかる転写残トナーは、クリーニング手段２０によって除去され、上記潜像担持体１１であるドラム形状の感光体表面が清掃される。
清掃後のドラム形状の感光体１１表面はランプより成る除電器２１により除電作用を受けて初期化され、更に、帯電器２２により、ドラム形状の感光体１１は一様に帯電され、引き続き、前述の画像形成動作が実行される。
従って、通常使用時と原稿台３の着脱時にも、原稿台３の端面３ａ等に付着して溜まる紙紛（ｐ）等の落ち零れを簡単な構成で低コストで防止して、メンテナンスが容易で、高品質の読み取り画像で高品質のトナー画像を形成する上記画像読取装置０を具備する上記画像形成装置１０を提供することが出来るようになった。
【００２２】
【発明の効果】
本発明は、以上説明したように構成されているので、請求項１の発明によれば、通常使用時と原稿台の着脱時にも、原稿台の端面等に付着して溜まる紙紛等の落ち零れを簡単な構成で低コストで防止して、メンテナンスが容易で、高品質の読み取り画像を形成する画像読取装置を提供することが出来るようになった。また、請求項１の発明によれば、原稿台の着脱する離脱時に紙粉ごと取り外すことが出来るから、通常使用時と原稿台の着脱時にも、原稿台の端面等に付着して溜まる紙紛等の落ち零れを簡単な構成で低コストで防止して、メンテナンスが容易で優れ、高品質の読み取り画像を形成する画像読取装置を提供することが出来るようになった。また、請求項１の発明によれば、通常使用時と原稿台の着脱時にも、原稿台の端面等に付着して溜まる紙紛等の落ち零れを簡単な構成で低コストで防止して、メンテナンスが容易で優れ、高品質の読み取り画像を形成する画像読取装置を提供することが出来るようになった。請求項２の発明によれば、通常使用時と原稿台の着脱時にも、原稿台の端面等に付着して溜まる紙紛等の落ち零れを簡単な構成で低コストで、シートスルーＡＤＦの読み取り側もブック読み取り側も確実に防止して、メンテナンスが容易で、高品質の読み取り画像を形成する画像読取装置を提供することが出来るようになった。請求項３の発明によれば、通常使用時と原稿台の着脱時にも、シートスルーＡＤＦモードで再びシートスルーＡＤＦ側に戻して排紙しても、原稿台の端面等に付着して溜まる紙紛等の落ち零れを簡単な構成で低コストで防止して、メンテナンスが容易で、高品質の読み取り画像を形成する画像読取装置を提供することが出来るようになった。参考として、本発明によれば、貼り付けの接合作業が最も容易な簡単な構成で低コストであり、通常使用時と原稿台の着脱時にも、原稿台の端面等に付着して溜まる紙紛等の落ち零れを簡単な構成で低コストで防止して、メンテナンスが容易で、高品質の読み取り画像を形成する画像読取装置を提供することが出来るようになった。請求項４の発明によれば、通常使用時と原稿台の着脱時にも、原稿台の端面等に付着して溜まる紙紛等の落ち零れを、鈍角の曲げ加工の簡単な構成で低コストで防止して、メンテナンスが容易で、高品質の読み取り画像を形成する画像読取装置を提供することが出来るようになった。請求項５の発明によれば、通常使用時と原稿台の着脱時にも、原稿台の端面等に付着して溜まる紙紛等の落ち零れを、鈍角の曲げ加工の簡単な構成で低コストで確実に防止して、メンテナンスが容易で、高品質の読み取り画像を形成する画像読取装置を提供することが出来るようになった。
【００２３】
請求項６の発明によれば、原稿台の着脱する離脱時に紙粉ごと取り外すことが出来るから、通常使用時と原稿台の着脱時にも、原稿台の端面等に付着して溜まる紙紛等の落ち零れを、鋭角の曲げ加工の簡単な構成で低コストで防止して、メンテナンスが容易で優れ、高品質の読み取り画像を形成する画像読取装置を提供することが出来るようになった。請求項７の発明によれば、原稿台の着脱する離脱時に紙粉ごと取り外すことが出来るから、通常使用時と原稿台の着脱時にも、原稿台の端面等に付着して溜まる紙紛等の落ち零れを、鋭角の曲げ加工の簡単な構成で低コストで確実に防止して、メンテナンスが容易で優れ、高品質の読み取り画像を形成する画像読取装置を提供することが出来るようになった。請求項８の発明によれば、通常使用時と原稿台の着脱時にも、原稿台の端面等に付着して溜まる紙紛等の落ち零れを、窪み加工の簡単な構成で低コストで防止して、メンテナンスが容易で優れ、高品質の読み取り画像を形成する画像読取装置を提供することが出来るようになった。また、請求項８の発明によれば、通常使用時と原稿台の着脱時にも、原稿台の端面等に付着して溜まる紙紛等の落ち零れを、窪み加工の簡単な構成で低コストで防止して、更にメンテナンスが容易で優れ、高品質の読み取り画像を形成する画像読取装置を提供することが出来るようになった。請求項９の発明によれば、通常使用時と原稿台の着脱時にも、原稿台の端面等に付着して溜まる紙紛等の落ち零れを、小型で耐久性に優れた簡単な構成で低コストで防止して、メンテナンスが容易で、高品質の読み取り画像を形成する画像読取装置を提供することが出来るようになった。
【００２４】
請求項１０の発明によれば、通常使用時と原稿台の着脱時にも、原稿台の端面等に付着して溜まる紙紛等の落ち零れを簡単な構成で更に低コストで防止して、メンテナンスが容易で、高品質の読み取り画像を形成する画像読取装置を提供することが出来るようになった。請求項１１の発明によれば、通常使用時と原稿台の着脱時にも、原稿台の端面等に付着して溜まる紙紛等の落ち零れを、簡単な構成で接合作業も容易となり更に低コストで防止して、メンテナンスが容易で、高品質の読み取り画像を形成する画像読取装置を提供することが出来るようになった。請求項１２の発明によれば、通常使用時と原稿台の着脱時にも、原稿台の端面等に付着して溜まる紙紛等の落ち零れを、簡単で確実な構成で低コストで防止して、メンテナンスが容易で、高品質の読み取り画像を形成する画像読取装置を提供することが出来るようになった。請求項１３の発明によれば、通常使用時と原稿台の着脱時にも、原稿台の端面等に付着して溜まる紙紛等の落ち零れを簡単な構成で低コストで防止して、メンテナンスが容易で、高品質の読み取り画像で高品質のトナー画像を形成する画像読取装置を具備する画像形成装置を提供することが出来るようになった。
【図面の簡単な説明】
【図１】本発明の実施の形態例を示す画像読取装置を説明する説明図。
【図２】本発明の実施の形態例を示す画像読取装置の主要部を説明する拡大図。
【図３】本発明の実施の形態例を示す画像読取装置の他の主要部の状態を説明する拡大図。
【図４】本発明の他の実施の形態例を示す画像読取装置の他の主要部を説明する拡大図。
【図５】本発明の他の実施の形態例を示す画像読取装置の他の主要部の状態を説明する拡大図。
【図６】本発明の他の実施の形態例を示す画像読取装置の他の主要部を説明する拡大図。
【図７】本発明の他の実施の形態例を示す画像読取装置の他の主要部の状態を説明する拡大図。
【図８】本発明の他の実施の形態例を示す画像読取装置の他の主要部を説明する拡大図。
【図９】本発明の他の実施の形態例を示す画像読取装置の他の主要部の状態を説明する拡大図。
【図１０】本発明の実施の形態例を示す画像読取装置を具備する画像形成装置を説明する説明図。
【図１１】従来の画像読取装置を説明する説明図。
【図１２】従来の画像読取装置の主要部の状態を説明する説明図。
【符号の説明】
０  画像読取装置、０ａ  シートスルーＡＤＦ、０ａ１  給紙部、
０ａ２  排紙部
１  原稿画像読取手段、１ａ  照射ランプ、
１ｂ  ミラー、
１ｃ  結像レンズ、
１ｄ  光電変換素子
２  開口部
３  原稿台、３ａ  端面
４  原稿台支持部材、４ａ  凸嵌合部
５  落ち零れ防止手段、５ａ  鈍角曲げ部材、５ａ１  先端、
５ｂ  鋭角曲げ部材、５ｂ１  先端、
５ｃ  窪み部材、５ｃ１  先端
６  接合手段、６ａ  両面接着テープ、
６ｂ  接着剤
７  原稿案内部材、７ａ  凹嵌合部、
７ｂ  傾斜面、
７ｃ  側面、
７ｄ  底部
１０  画像形成装置、１０ａ  装置本体
１１  像担持体
１２  潜像形成手段、１２ａ  回転多面鏡、
１２ｂ  レンズ系、
１２ｃ  ミラー、
１２ｄ  ミラー、
１２ｅ  ミラー
１３  現像手段
１４  転写手段、１４ａ  転写バイアスローラ、
１４ｂ  転写ベルト、
１４ｃ  駆動ローラ、
１４ｄ  従動ローラ
１５  給紙ユニット、１５ａ  給紙カセット、
１５ｂ  給紙カセット、
１５ｃ  給紙カセット
１６  レジストローラ対
１７  定着器
１８  排紙ローラ対
１９  排紙トレイ
２０  クリーニング手段
２１  除電気
２２  帯電器
１００  画像読取装置、１００ａ  シートスルーＡＤＦ、１００ａ１  給紙部、
１００ａ２  排紙部
１０１  原稿画像読取手段
１０２  開口部
１０３  原稿台、１０３ａ  端面
１０４  原稿台支持部材
１０５  原稿案内部材、１０５ａ  斜面、
１０５ｂ  防塵スポンジ、
１０５ｃ  側面
１１０  画像形成装置
【図１】
0004132923.tif 000002
【図２】
0004132923.tif 000003
【図３】
0004132923.tif 000004
【図４】
0004132923.tif 000005
【図５】
0004132923.tif 000006
【図６】
0004132923.tif 000007
【図７】
0004132923.tif 000008
【図８】
0004132923.tif 000009
【図９】
0004132923.tif 000010
【図１０】
0004132923.tif 000011
【図１１】
0004132923.tif 000012
【図１２】
0004132923.tif 000013